(57)【要約】  本開示は、ランダムアクセスリソースの選択方法及び端末装置を提供し、前記ランダムアクセスリソースの選択方法は、端末装置がランダムアクセスレスポンス信号の受信に失敗したと判断する第１の時刻を決定することと、受信されたバックオフインジケーター値に基づいて、遅延時間を選択することと、前記第１の時刻と前記遅延時間に基づいて、ランダムアクセスリソースを選択することとを含む。
2021525489.tif 000002
【特許請求の範囲】
【請求項１】
端末装置がランダムアクセスレスポンス信号の受信に失敗したと判断する第１の時刻を決定することと、
受信されたバックオフインジケーターＢＩ値に基づいて、遅延時間を選択することと、
前記第１の時刻と前記遅延時間に基づいて、ランダムアクセスリソースを選択することとを含む、ランダムアクセスリソースの選択方法。
【請求項２】
前記第１の時刻と前記遅延時間に基づいて、ランダムアクセスリソースを選択することは、
前記第１の時刻から前記遅延時間だけ遅延した後、ランダムアクセスリソースを選択することとを含む、請求項１に記載の選択方法。
【請求項３】
前記時刻と前記遅延時間に基づいて、ランダムアクセスリソースを選択することは、
前記第１の時刻にランダムアクセスリソースを選択することと、
第２の時刻より前に選択されたランダムアクセスリソースに対応する信号測定結果が予め設定された閾値より低い場合、前記第２の時刻より前にランダムアクセスリソースの選択をやり直すこととを含み、
前記第２の時刻は、前記第１の時刻と前記遅延時間に基づいて決定される、請求項１に記載の選択方法。
【請求項４】
前記第２の時刻は、前記第１の時刻から前記遅延時間だけ遅延した時刻であり、又は、
前記第２の時刻は、前記第１の時刻から前記遅延時間だけ遅延した後にランダムアクセス信号を送信する時刻である、請求項３に記載の選択方法。
【請求項５】
前記信号測定結果は、同期信号ブロックＳＳＢ及び／又はチャネル状態情報参照信号ＣＳＩ−ＲＳの測定結果である、請求項３に記載の選択方法。
【請求項６】
端末装置がランダムアクセスレスポンス信号の受信に失敗したと判断する第１の時刻を決定するための決定モジュールと、
受信されたＢＩ値に基づいて、遅延時間を選択するための第１の選択モジュールと、
前記第１の時刻と前記遅延時間に基づいて、ランダムアクセスリソースを選択するための第２の選択モジュールとを含む、端末装置。
【請求項７】
前記第２の選択モジュールは、具体的に、
前記第１の時刻から前記遅延時間だけ遅延した後、ランダムアクセスリソースを選択する、請求項６に記載の端末装置。
【請求項８】
前記第２の選択モジュールは、
前記第１の時刻にランダムアクセスリソースを選択するための第１の選択ユニットと、
第２の時刻より前に選択されたランダムアクセスリソースに対応する信号測定結果が予め設定された閾値より低い場合、前記第２の時刻より前にランダムアクセスリソースの選択をやり直すための第２の選択ユニットとを含み、
前記第２の時刻は、前記第１の時刻と前記遅延時間に基づいて決定される、請求項６に記載の端末装置。
【請求項９】
前記第２の時刻は、前記第１の時刻から前記遅延時間だけ遅延した時刻であり、或いは
前記第２の時刻は、前記第１の時刻から前記遅延時間だけ遅延した後にランダムアクセス信号を送信する時刻である、請求項８に記載の端末装置。
【請求項１０】
前記信号測定結果は、ＳＳＢ及び／又はＣＳＩ−ＲＳの測定結果である、請求項８に記載の端末装置。
【請求項１１】
メモリと、プロセッサと、前記メモリ上に記憶されて前記プロセッサ上で動作可能で、前記プロセッサによって実行されると、請求項１〜５のいずれか１項に記載のランダムアクセスリソースの選択方法を実現するコンピュータプログラムとを含む、端末装置。
【請求項１２】
プロセッサにより実行されると、請求項１〜５のいずれか１項に記載のランダムアクセスリソースの選択方法を実現するコンピュータプログラムが記憶されているコンピュータ読み取り可能な記憶媒体。
【発明の詳細な説明】
【技術分野】
【０００１】
本願は、２０１８年６月１９日に提出された中国特許出願第２０１８１０６３２０８７．２号の優先権を主張するものであり、その全ての内容は参照により本願に取り込まれるものとする。
本開示は、通信の技術分野に関し、特にランダムアクセスリソースの選択方法及び端末装置に関する。
【背景技術】
【０００２】
端末装置、例えば、ユーザ装置（Ｕｓｅｒ  Ｅｑｕｉｐｍｅｎｔ、ＵＥ）は、ランダムアクセスプロセスを開始した後、設定された同期信号ブロック（Ｓｙｎｃｈｒｏｎｏｕｓ  Ｓｉｇｎａｌ  Ｂｌｏｃｋ、ＳＳＢ）及び／又はチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）の測定結果が予め設定された閾値より高い場合、ランダムアクセス信号、例えば、Ｍｓｇ１の送信に用いられる該設定されたＳＳＢ及び／又はＣＳＩ−ＲＳに対応するランダムアクセスチャネル（物理ランダムアクセスチャネル、ＰＲＡＣＨ）リソースを選択する。該予め設定された閾値は、ネットワーク側により設定されることができ、例えば、ネットワーク側に設定されるｒｓｒｐ−ＴｈｒｅｓｈｏｌｄＳＳＢは、ＳＳＢの測定結果の判断に用いられ、及び／又はネットワーク側に設定されるｒｓｒｐ−ＴｈｒｅｓｈｏｌｄＣＳＩ−ＲＳは、ＣＳＩ−ＲＳの測定結果の判断に用いられることができる。
【０００３】
Ｍｓｇ１の送信後、ＵＥは、ランダムアクセスレスポンスウィンドウ内でランダムアクセスレスポンス（Ｒａｎｄｏｍ  Ａｃｃｅｓｓ  Ｒｅｓｐｏｎｓｅ、ＲＡＲ）を受信することができる。しかし、ＵＥがランダムアクセスレスポンスウィンドウ内でその送信したＭｓｇ１に対応するＲＡＲ、例えば、Ｍｓｇ２の受信に成功していないとともに、ネットワーク側がバックオフインジケーター（Ｂａｃｋｏｆｆ  Ｉｎｄｉｃａｔｏｒ、ＢＩ）値（例えば４０ｍｓ）を指示した場合、ＵＥは、まず、該ＢＩ値に基づいて１つの遅延時間（例えば２０ｍｓ）をランダムに選択し、その後に次回のＭｓｇ１の伝送又は再伝送を該遅延時間だけ遅延させることができる。
【０００４】
現在、ＵＥは、Ｍｓｇ２の受信に失敗した後、一般的に次回のランダムアクセスリソースの選択、即ち、測定結果が予め設定された閾値より高いＳＳＢ及び／又はＣＳＩ−ＲＳに対応するＰＲＡＣＨリソースの選択を直ちに開始する。しかしながら、ＢＩ値の導入後、ＵＥが受信されたＢＩ値に基づいて次回のＭｓｇ１の送信を遅延させる場合、ＵＥがＭｓｇ１を実際に送信する際に、ＰＲＡＣＨリソースに対応するＳＳＢ及び／又はＣＳＩ−ＲＳの測定結果は、既に予め設定された閾値を下回っている可能性があり、この場合、該Ｍｓｇ１の送信が破棄されて、今回のランダムアクセスプロセスにおけるＭｓｇ１の送信に失敗するため、ランダムアクセスプロセスの失敗確率が高まる。
【発明の概要】
【０００５】
本開示の実施例は、現在、ＢＩ値の導入後、ランダムアクセスレスポンスの受信に失敗した後にランダムアクセスリソースを直ちに選択することによるランダムアクセスプロセス失敗の問題を解決するために、ランダムアクセスリソースの選択方法及び端末装置を提供する。
【０００６】
第１の態様では、本開示の実施例に係るランダムアクセスリソースの選択方法は、
端末装置がランダムアクセスレスポンス信号の受信に失敗したと判断する第１の時刻を決定することと、
受信されたＢＩ値に基づいて、遅延時間を選択することと、
前記第１の時刻と前記遅延時間に基づいて、ランダムアクセスリソースを選択することとを含む。
【０００７】
第２の態様では、本開示の実施例に係る端末装置は、
端末装置がランダムアクセスレスポンス信号の受信に失敗したと判断する第１の時刻を決定するための決定モジュールと、
受信されたＢＩ値に基づいて、遅延時間を選択するための第１の選択モジュールと、
前記第１の時刻と前記遅延時間に基づいて、ランダムアクセスリソースを選択するための第２の選択モジュールとを含む。
【０００８】
第３の態様では、本開示の実施例に係る端末装置は、メモリと、プロセッサと、前記メモリ上に記憶されて前記プロセッサ上で動作可能で、前記プロセッサによって実行されると、上記ランダムアクセスリソースの選択方法を実現するコンピュータプログラムとを含む。
【０００９】
第４の態様では、本開示の実施例に係るコンピュータ読み取り可能な記憶媒体は、プロセッサにより実行されると、上記ランダムアクセスリソースの選択方法のステップを実現するコンピュータプログラムが記憶されている。
【００１０】
本開示の実施例では、ランダムアクセスリソースを選択する際に、ＢＩ値に基づいて選択される遅延時間を考慮すると、ＢＩ値を導入してランダムアクセス信号の送信をバックオフした後、ランダムアクセス信号の実際の送信に近い、要件を満たすランダムアクセスリソースを選択して、ランダムアクセス信号を送信することを実現するため、ランダムアクセス信号の送信遅延によるランダムアクセスリソースの誤選択の確率を低下させ、ランダムアクセス失敗の発生を低減することができる。
【図面の簡単な説明】
【００１１】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００１２】
【図１】本開示の実施例に係るランダムアクセスリソースの選択方法のフローチャートである。
【図２】本開示の実施例に係るランダムアクセスリソースの選択の概略図その１である。
【図３】本開示の実施例に係るランダムアクセスリソースの選択の概略図その２である。
【図４】本開示の実施例に係るランダムアクセスリソースの選択の概略図その３である。
【図５】本開示の実施例に係る端末装置の概略構成図その１である。
【図６】本開示の実施例に係る端末装置の概略構成図その２である。
【発明を実施するための形態】
【００１３】
本開示の実施例の技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【００１４】
図１に示すように、本開示の実施例に係るランダムアクセスリソースの選択方法は、端末装置に適用され、以下のステップ１０１〜１０３を含む。
【００１５】
ステップ１０１では、端末装置がランダムアクセスレスポンス信号の受信に失敗したと判断する第１の時刻を決定する。
【００１６】
端末装置がランダムアクセス信号を送信した後、ランダムアクセスレスポンスウィンドウ内で該ランダムアクセス信号に対応するランダムアクセスレスポンス信号を受信しなければ、該ランダムアクセスレスポンス信号の受信に失敗したと判断することができる。
【００１７】
ステップ１０２では、受信されたＢＩ値に基づいて、遅延時間を選択する。
【００１８】
なお、ステップ１０２におけるＢＩ値は、ネットワーク側によって端末装置に送信されてよい。端末装置は、受信されたＢＩ値に基づいて遅延時間を選択する際に、１つの遅延時間をランダムに選択することができる。例えば、受信されたＢＩ値が４０Ｓであれば、端末装置が選択した遅延時間は、１０Ｓ、２５Ｓなどであってよく、０〜４０Ｓの間であればよい。
【００１９】
ステップ１０３では、第１の時刻と遅延時間に基づいて、ランダムアクセスリソースを選択する。
【００２０】
本開示の実施例に係るランダムアクセスリソースの選択方法では、ランダムアクセスリソースを選択する際に、ＢＩ値に基づいて選択される遅延時間を考慮すると、ＢＩ値を導入してランダムアクセス信号の送信をバックオフした後、ランダムアクセス信号の実際の送信に近い、要件を満たすランダムアクセスリソースを選択して、ランダムアクセス信号を送信することを実現するため、ランダムアクセス信号の送信遅延によるランダムアクセスリソースの誤選択の確率を低下させ、ランダムアクセス失敗の発生を低減することができる。
【００２１】
本開示の実施例では、好ましくは、ステップ１０３は、具体的に、
第１の時刻から前記遅延時間だけ遅延した後、ランダムアクセスリソースを選択する。
【００２２】
例えば、図２に示すように、ＵＥがＭｓｇ１を送信した後、ランダムアクセスレスポンスウィンドウ内でＭｓｇ１に対応するランダムアクセスレスポンス信号Ｍｓｇ２の受信に成功しておらず、かつｔ１時刻にＭｓｇ２の受信に失敗したと判断し、そして、ＵＥがネットワーク側から送信されたＢＩ値を受信した後、該ＢＩ値に基づいて遅延時間ｂａｃｋｏｆｆＤｅｌａｙ（即ち、遅延量）をランダムに選択すると仮定すると、ＵＥは、ｔ１時刻からｂａｃｋｏｆｆＤｅｌａｙ遅延した後、例えば、ｔ２時刻後、ランダムアクセスリソースを選択し、即ち、後続きのランダムアクセスプロセスのランダムアクセスリソースの選択をｂａｃｋｏｆｆＤｅｌａｙだけ遅延させることができる。
【００２３】
本開示の実施例では、好ましくは、ステップ１０３は、具体的に、
第１の時刻にランダムアクセスリソースを選択し、
第２の時刻より前に選択されたランダムアクセスリソースに対応する信号測定結果が予め設定された閾値より低い場合、第２の時刻より前にランダムアクセスリソースの選択をやり直し、
該第２の時刻は、第１の時刻と前記遅延時間に基づいて決定される。該信号測定結果は、ＳＳＢ及び／又はＣＳＩ−ＲＳの測定結果であってよい。
【００２４】
好ましくは、該第２の時刻は、第１の時刻から前記遅延時間だけ遅延した時刻であってもよく、第１の時刻から前記遅延時間だけ遅延した後にランダムアクセス信号を送信する時刻であってもよい。
【００２５】
例えば、図３に示すように、ＵＥがＭｓｇ１を送信した後、ランダムアクセスレスポンスウィンドウ内でＭｓｇ１に対応するランダムアクセスレスポンス信号Ｍｓｇ２の受信に成功しておらず、かつｔ１時刻にＭｓｇ２の受信に失敗したと判断し、そして、ＵＥがネットワーク側から送信されたＢＩ値を受信した後、該ＢＩ値に基づいて遅延時間ｂａｃｋｏｆｆＤｅｌａｙをランダムに選択すると仮定すると、ＵＥは、ｔ１時刻にランダムアクセスリソースの選択を開始し、かつネットワーク側の設定情報に基づいて、ＵＥによって測定されたＳＳＢ又はＣＳＩ−ＲＳの測定結果が予め設定された閾値より高い場合、Ｍｓｇ１を送信するためにｔ２時刻にＳＳＢ１（この場合、ＳＳＢ１の測定結果が予め設定された閾値ｔｈｒｅｓｈｏｌｄより高い）に対応するランダムアクセスリソースを選択することができる。しかし、ｔｐ時刻より前にＳＳＢ１の測定結果がｔｈｒｅｓｈｏｌｄ以下であり、例えば、図３のｔ３時刻でのＳＳＢ１の測定結果がｔｈｒｅｓｈｏｌｄ以下であり、該ｔｐ時刻がｔ１時刻からｂａｃｋｏｆｆＤｅｌａｙだけ遅延した後にＭｓｇ１を送信する時刻である場合、ＵＥは、ｔｐ時刻より前にランダムアクセスリソースの選択をやり直し、対応するランダムアクセスリソースを変更し、例えば、ＳＳＢ２（この場合、ＳＳＢ２の測定結果がｔｈｒｅｓｈｏｌｄより高い）に対応するランダムアクセスリソースに変更することができる。
【００２６】
また、例えば、図４に示すように、ＵＥがＭｓｇ１を送信した後、ランダムアクセスレスポンスウィンドウ内でＭｓｇ１に対応するランダムアクセスレスポンス信号Ｍｓｇ２の受信に成功しておらず、かつｔ１時刻にＭｓｇ２の受信に失敗したと判断し、そして、ＵＥがネットワーク側から送信されたＢＩ値を受信した後、該ＢＩ値に基づいて遅延時間ｂａｃｋｏｆｆＤｅｌａｙをランダムに選択すると仮定すると、ＵＥは、ｔ１時刻にランダムアクセスリソースの選択を開始し、かつネットワーク側の設定情報に基づいて、ＵＥによって測定されたＳＳＢ又はＣＳＩ−ＲＳの測定結果が予め設定された閾値より高い場合、Ｍｓｇ１を送信するためにｔ２時刻にＳＳＢ１（この場合、ＳＳＢ１の測定結果が予め設定された閾値ｔｈｒｅｓｈｏｌｄより高い）に対応するランダムアクセスリソースを選択することができる。しかし、ｔ４時刻より前にＳＳＢ１の測定結果がｔｈｒｅｓｈｏｌｄ以下であり、例えば、図４のｔ３時刻でのＳＳＢ１の測定結果がｔｈｒｅｓｈｏｌｄ以下であり、該ｔ４時刻がｔ１時刻からｂａｃｋｏｆｆＤｅｌａｙだけ遅延した時刻である場合、ＵＥは、ｔ４時刻より前にランダムアクセスリソースの選択をやり直し、対応するランダムアクセスリソースを変更し、例えば、ＳＳＢ３（この場合、ＳＳＢ３の測定結果がｔｈｒｅｓｈｏｌｄより高い）に対応するランダムアクセスリソースに変更することができる。
【００２７】
上記実施例は、本開示のランダムアクセスリソースの選択方法を説明し、以下、実施例及び図面を参照しながら本開示の端末装置について説明する。
【００２８】
図５に示すように、本開示の実施例に係る端末装置５は、決定モジュール５１、第１の選択モジュール５２及び第２の選択モジュール５３を含み、以下に詳述する。
【００２９】
前記決定モジュール５１は、端末装置がランダムアクセスレスポンス信号の受信に失敗したと判断する第１の時刻を決定する。
【００３０】
前記第１の選択モジュール５２は、受信されたＢＩ値に基づいて、遅延時間を選択する。
【００３１】
前記第２の選択モジュール５３は、前記第１の時刻と前記遅延時間に基づいて、ランダムアクセスリソースを選択する。
【００３２】
本開示の実施例の端末装置では、ランダムアクセスリソースを選択する際に、ＢＩ値に基づいて選択される遅延時間を考慮すると、ＢＩ値を導入してランダムアクセス信号の送信をバックオフした後、ランダムアクセス信号の実際の送信に近い、要件を満たすランダムアクセスリソースを選択して、ランダムアクセス信号を送信することを実現するため、ランダムアクセス信号の送信遅延によるランダムアクセスリソースの誤選択の確率を低下させ、ランダムアクセス失敗の発生を低減することができる。
【００３３】
本開示の実施例では、好ましくは、前記第２の選択モジュール５３は、具体的に、
前記第１の時刻から前記遅延時間だけ遅延した後、ランダムアクセスリソースを選択する。
【００３４】
好ましくは、前記第２の選択モジュール５３は、
前記第１の時刻にランダムアクセスリソースを選択するための第１選択ユニットと、
第２の時刻より前に選択されたランダムアクセスリソースに対応する信号測定結果が予め設定された閾値より低い場合、前記第２の時刻より前にランダムアクセスリソースの選択をやり直すための第２の選択ユニットとを含み、
前記第２の時刻は、前記第１の時刻と前記遅延時間に基づいて決定される。
【００３５】
好ましくは、前記第２の時刻は、前記第１の時刻から前記遅延時間だけ遅延した時刻であり、或いは
前記第２の時刻は、前記第１の時刻から前記遅延時間だけ遅延した後にランダムアクセス信号を送信する時刻である。
【００３６】
好ましくは、該信号測定結果は、ＳＳＢ及び／又はＣＳＩ−ＲＳの測定結果である。
【００３７】
本開示の実施例に係る端末装置は、メモリと、プロセッサと、前記メモリ上に記憶されて前記プロセッサ上で動作可能で、前記プロセッサによって実行されると、上記コンピュータプログラムの選択方法の実施例の各プロセスを実現し、かつ同様な技術的効果を達成することができるコンピュータプログラムとを含み、重複を避けるため、ここでは繰り返して説明しない。
【００３８】
具体的には、図６は、本開示の各実施例を実現する端末装置のハードウェア概略構成図であり、端末装置６００は、無線周波数ユニット６０１、ネットワークモジュール６０２、オーディオ出力ユニット６０３、入力ユニット６０４、センサ６０５、表示ユニット６０６、ユーザ入力ユニット６０７、インタフェースユニット６０８、メモリ６０９、プロセッサ６１０、及び電源６１１などの部品を含むが、これらに限定されない。当業者であれば理解できるように、図６に示す端末の構造は、端末を限定するものではなく、端末装置は、図示より多いか又は少ない部品を含んでもよく、ある部品と組み合わせたり、異なる部品を配置したりしてもよい。本開示の実施例では、端末装置は、携帯電話、タブレットコンピュータ、ノートパソコン、パームトップコンピュータ、車載端末、ウェアラブルデバイス及び歩数計などを含むが、これらに限定されない。
【００３９】
プロセッサ６１０は、端末装置がランダムアクセスレスポンス信号の受信に失敗したと判断する第１の時刻を決定し、受信されたＢＩ値に基づいて、遅延時間を選択し、前記第１の時刻と前記遅延時間に基づいて、ランダムアクセスリソースを選択する。
【００４０】
本開示の実施例の端末装置６００では、ランダムアクセスリソースを選択する際に、ＢＩ値に基づいて選択される遅延時間を考慮すると、ＢＩ値を導入してランダムアクセス信号の送信をバックオフした後、ランダムアクセス信号の実際の送信に近い、要件を満たすランダムアクセスリソースを選択して、ランダムアクセス信号を送信することを実現するため、ランダムアクセス信号の送信遅延によるランダムアクセスリソースの誤選択の確率を低下させ、ランダムアクセス失敗の発生を低減することができる。
【００４１】
本開示の実施例では、無線周波数ユニット６０１は、情報の送受信中又は通話中の信号の送受信に適用可能であり、具体的には、基地局からのダウンリンクデータを受信した後、プロセッサ６１０に処理させ、また、アップリンクデータを基地局に送信することを理解されたい。一般的には、無線周波数ユニット６０１は、アンテナ、少なくとも１つの増幅器、送受信機、カプラ、低雑音増幅器、デュプレクサなどを含むが、これらに限定されない。また、無線周波数ユニット６０１は、さらに、無線通信システムによりネットワーク及び他の装置と通信することができる。
【００４２】
端末装置は、ネットワークモジュール６０２によりユーザに無線のブロードバンドインターネットアクセスを提供して、例えば、ユーザの電子メールの送受信、ウェブの閲覧及びストリーミングメディアのアクセスなどを助ける。
【００４３】
オーディオ出力ユニット６０３は、無線周波数ユニット６０１又はネットワークモジュール６０２によって受信されるか又はメモリ６０９に記憶されているオーディオデータをオーディオ信号に変換して、音声として出力することができる。また、オーディオ出力ユニット６０３は、さらに、端末装置６００によって実行される特定の機能に関連するオーディオ出力（例えば、着信音、メッセージ着信音など）を提供することができる。オーディオ出力ユニット６０３は、スピーカー、ブザー及びレシーバーなどを含む。
【００４４】
入力ユニット６０４は、オーディオ又はビデオ信号を受信する。入力ユニット６０４は、グラフィック処理ユニット（Ｇｒａｐｈｉｃｓ  Ｐｒｏｃｅｓｓｉｎｇ  Ｕｎｉｔ、ＧＰＵ）６０４１及びマイクロフォン６０４２を含んでよく、グラフィックプロセッサ６０４１は、動画撮影モード又は撮影モードで撮影装置（例えば、カメラ）によって取得された静止画像又はビデオの画像データを処理する。処理後の画像フレームは、表示ユニット６０６に表示することができる。グラフィック処理ユニット６０４１によって処理された画像フレームは、メモリ６０９（又は他の記憶媒体）に記憶されてもよく、無線周波数ユニット６０１又はネットワークモジュール６０２によって送信されてもよい。マイクロフォン６０４２は、音声を受信し、かつこのような音声をオーディオデータに処理することができる。処理後のオーディオデータは、電話の通話モードの場合に無線周波数ユニット６０１によって移動通信基地局に送信可能なフォーマットに変換されて出力することができる。
【００４５】
端末装置６００は、光センサ、動きセンサ及び他のセンサなどのような少なくとも１種のセンサ６０５をさらに含む。具体的には、光センサは、周辺光線の明るさに応じて表示パネル６０６１の輝度を調整することができる周辺光センサと、端末装置６００が耳元に移動するときに、表示パネル６０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）などに用いられてよく、センサ６０５は、指紋センサ、圧力センサ、虹彩センサ、分子センサ、ジャイロスコープ、気圧計、湿度計、温度計、赤外線センサなどをさらに含んでよく、ここでは説明を省略する。
【００４６】
表示ユニット６０６は、ユーザにより入力された情報又はユーザに提供する情報を表示する。表示ユニット６０６は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などからなる表示パネル６０６１を含んでよい。
【００４７】
ユーザ入力ユニット６０７は、入力された数字又は文字情報を受信すると共に、端末のユーザ設定及び機能制御に関連するキー信号の入力を生成することができる。具体的には、ユーザ入力ユニット６０７は、タッチパネル６０７１及び他の入力装置６０７２を含む。タッチパネル６０７１は、タッチスクリーンとも呼ばれ、その上又はその近くでのユーザのタッチ操作（例えば、指、スタイラスペンなどの任意の適切な物体又は付属品を用いるタッチパネル６０７１上又はタッチパネル６０７１の近くでのユーザの操作）を収集することができる。タッチパネル６０７１は、タッチ検出装置及びタッチコントローラの２つの部分を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ６１０に送信し、プロセッサ６１０から送信されたコマンドを受信し、実行する。また、抵抗式、容量式、赤外線式及び表面弾性波式などの多種のタイプでタッチパネル６０７１を実現することができる。タッチパネル６０７１に加えて、ユーザ入力ユニット６０７は、他の入力装置６０７２をさらに含んでよい。具体的には、他の入力装置６０７２は、物理キーボード、機能キー（例えば、ボリューム調節キー、スイッチキーなど）、トラックボール、マウス及び操作レバーを含み得るがこれらに限定されず、ここでは説明を省略する。
【００４８】
さらに、タッチパネル６０７１は、表示パネル６０６１をカバーすることができ、タッチパネル６０７１がその上又はその近くでのタッチ操作を検出した後、プロセッサ６１０に伝送してタッチイベントのタイプを決定し、その後にプロセッサ６１０は、タッチイベントのタイプに応じて対応する視覚的出力を表示パネル６０６１に提供する。図６において、タッチパネル６０７１と表示パネル６０６１は、２つの独立した部品として端末の入出力機能を実現するが、いくつかの実施例では、タッチパネル６０７１と表示パネル６０６１を一体化して端末の入出力機能を実現することができ、ここでは具体的に限定しない。
【００４９】
インタフェースユニット６０８は、外部装置と端末装置６００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット６０８は、外部装置からの入力（例えば、データ情報、電力など）を受信すると共に、受信された入力を端末装置６００内の１つ又は複数の素子に伝送するか又は端末装置６００と外部装置の間のデータを伝送することができる。
【００５０】
メモリ６０９は、ソフトウェアプログラム及び様々なデータを記憶することができる。メモリ６０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ６０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【００５１】
プロセッサ６１０は、端末装置の制御センターであり、様々なインタフェースと回線により端末全体の各部分に接続され、メモリ６０９に記憶されたソフトウェアプログラム及び／又はモジュールを動作させるか又は実行し、メモリ６０９に記憶されたデータを呼び出すことにより、端末の様々な機能とデータ処理を実行して、端末全体を監視する。プロセッサ６１０は、１つ以上の処理ユニットを含んでよく、好ましくは、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。理解できるように、上記モデムプロセッサは、プロセッサ６１０に集積されなくてよい。
【００５２】
端末装置６００は、各部品に給電する電源６１１（例えば、電池）をさらに含んでよく、好ましくは、電源６１１は、電源管理システムによりプロセッサ６１０と論理的に接続されて、電源管理システムにより充電、放電の管理及び消費電力の管理などの機能を実現することができる。
【００５３】
また、端末装置６００は、さらに、いくつかの未図示の機能モジュールを含み、ここでは説明を省略する。
【００５４】
本開示の実施例に係るコンピュータ読み取り可能な記憶媒体には、プロセッサによって実行されると、上記コンピュータプログラムの選択方法の実施例の各プロセスを実現し、かつ同様な技術的効果を達成することができるコンピュータプログラムが記憶されており、重複を避けるために、ここでは説明を省略する。該コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等であってよい。
【００５５】
なお、本明細書において、用語「含む」、「備える」及びそれらのいかなる変形は、非排他的な包含をカバーすることを意図し、一連の要素を含むプロセス、方法、製品又は装置は、それらの要素を含むだけでなく、明確に例示されていない他の要素をさらに含むか、又はこれらのプロセス、方法、製品又は装置に固有の要素をさらに含む。より多くの限定がない場合に、語句「１つ…を含む」により限定された要素は、該要素を含むプロセス、方法、製品又は装置に別の同一の要素がさらに存在することを排除するものではない。
【００５６】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分がソフトウェア製品の形態で具現化されてよく、該コンピュータソフトウェア製品は、記憶媒体（例えば、ＲＯＭ／ＲＡＭ、磁気ディスク、光ディスク）に記憶されており、１台の端末（携帯電話、コンピュータ、サーバ、エアコン又はネットワーク装置などであってよい）に本開示の各実施例に記載の方法を実行させるための複数の命令を含む。
【００５７】
以上、図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形式を行うことができ、これらはいずれも本開示の保護範囲内に属する。
【００５８】
５  端末装置
５１  決定モジュール
５２  第１の選択モジュール
５３  第２の選択モジュール
６００  端末装置
６０１  無線周波数ユニット
６０２  ネットワークモジュール
６０３  オーディオ出力ユニット
６０４  入力ユニット
６０４１  グラフィック処理ユニット
６０４２  マイクロフォン
６０５  センサ
６０６  表示ユニット
６０６１  表示パネル
６０７  ユーザ入力ユニット
６０７１  タッチパネル
６０７２  入力装置
６０８  インタフェースユニット
６０９  メモリ
６１０  プロセッサ
６１１  電源
【図１】
2021525489.tif 000003
【図２】
2021525489.tif 000004
【図３】
2021525489.tif 000005
【図４】
2021525489.tif 000006
【図５】
2021525489.tif 000007
【図６】
2021525489.tif 000008
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
端末装置がランダムアクセスレスポンス信号の受信に失敗したと判断する第１の時刻を決定することと、
受信されたバックオフインジケーターＢＩ値に基づいて、遅延時間を選択することと、
前記第１の時刻と前記遅延時間に基づいて、ランダムアクセスリソースを選択することとを含む、ランダムアクセスリソースの選択方法。
【請求項２】
前記第１の時刻と前記遅延時間に基づいて、ランダムアクセスリソースを選択することは、
前記第１の時刻から前記遅延時間だけ遅延した後、ランダムアクセスリソースを選択することとを含む、請求項１に記載の選択方法。
【請求項３】
前記第１の時刻と前記遅延時間に基づいて、ランダムアクセスリソースを選択することは、
前記第１の時刻にランダムアクセスリソースを選択することと、
第２の時刻より前に選択されたランダムアクセスリソースに対応する信号測定結果が予め設定された閾値より低い場合、前記第２の時刻より前にランダムアクセスリソースの選択をやり直すこととを含み、
前記第２の時刻は、前記第１の時刻と前記遅延時間に基づいて決定される、請求項１に記載の選択方法。
【請求項４】
前記第２の時刻は、前記第１の時刻から前記遅延時間だけ遅延した時刻であり、又は、
前記第２の時刻は、前記第１の時刻から前記遅延時間だけ遅延した後にランダムアクセス信号を送信する時刻である、請求項３に記載の選択方法。
【請求項５】
前記信号測定結果は、同期信号ブロックＳＳＢ及び／又はチャネル状態情報参照信号ＣＳＩ−ＲＳの測定結果である、請求項３に記載の選択方法。
【請求項６】
端末装置がランダムアクセスレスポンス信号の受信に失敗したと判断する第１の時刻を決定するための決定モジュールと、
受信されたＢＩ値に基づいて、遅延時間を選択するための第１の選択モジュールと、
前記第１の時刻と前記遅延時間に基づいて、ランダムアクセスリソースを選択するための第２の選択モジュールとを含む、端末装置。
【請求項７】
前記第２の選択モジュールは、具体的に、
前記第１の時刻から前記遅延時間だけ遅延した後、ランダムアクセスリソースを選択する、請求項６に記載の端末装置。
【請求項８】
前記第２の選択モジュールは、
前記第１の時刻にランダムアクセスリソースを選択するための第１の選択ユニットと、
第２の時刻より前に選択されたランダムアクセスリソースに対応する信号測定結果が予め設定された閾値より低い場合、前記第２の時刻より前にランダムアクセスリソースの選択をやり直すための第２の選択ユニットとを含み、
前記第２の時刻は、前記第１の時刻と前記遅延時間に基づいて決定される、請求項６に記載の端末装置。
【請求項９】
前記第２の時刻は、前記第１の時刻から前記遅延時間だけ遅延した時刻であり、或いは
前記第２の時刻は、前記第１の時刻から前記遅延時間だけ遅延した後にランダムアクセス信号を送信する時刻である、請求項８に記載の端末装置。
【請求項１０】
前記信号測定結果は、ＳＳＢ及び／又はＣＳＩ−ＲＳの測定結果である、請求項８に記載の端末装置。
【請求項１１】
メモリと、プロセッサと、前記メモリ上に記憶されて前記プロセッサ上で動作可能で、前記プロセッサによって実行されると、請求項１〜５のいずれか１項に記載のランダムアクセスリソースの選択方法を実現するコンピュータプログラムとを含む、端末装置。
【請求項１２】
プロセッサにより実行されると、請求項１〜５のいずれか１項に記載のランダムアクセスリソースの選択方法を実現するコンピュータプログラムが記憶されているコンピュータ読み取り可能な記憶媒体。
【国際調査報告】
2021525489.tif 000009
2021525489.tif 000010
2021525489.tif 000011
2021525489.tif 000012